(57)【要約】【課題】役物、表示装置の高さの制限を受けないパチンコ機を提供する。【解決手段】本発明のパチンコ機は、遊技盤３に特別図柄表示装置１２を有する役物４が設けられていて、該役物４は、階段状に形成されて遊技球が通過可能な段部４ａ、４ｂ、４ｃ、４ｄと、該各段部には遊技球Ｐの通路を変更する障害物４１が、それぞれ設けられている。そして、該役物４は、前記遊技盤３と該遊技盤３の前面に設けられた防護板１１との隙間Ｈよりも高さがある。また、遊技盤３の前面には、前記役物が設けられている位置に凹部２１が形成された防護板１１が装着されている。入賞口４０に入賞した遊技球Ｐは、通路４２を流下して、所定の遊技がなされる。入賞しない遊技球Ｐは、役物４の外に出て遊技領域内を再度流下する。前記遊技球Ｐの流路は、障害物４１により変更され、流路Ｒ以外に、途中の段部から横に流下する。【選択図】　図２
2004041420.tif 000002
【特許請求の範囲】
【請求項１】
少なくとも遊技盤と、該遊技盤に設けられた役物及び構造物と前記遊技盤の前面防護板を有するパチンコ機において、前記防護板を閉じた時に前記防護板に前記役物及び構造物の一部分が嵌入される凹部が形成されていると共に、当該凹部に嵌入される前記役物及び構造物の周辺と前記凹部内部との間には、遊技球が通過する空間が形成されていることを特徴とするパチンコ機。
【請求項２】
前記役物及び構造物は、段部が形成されていて、該段部には遊技球の通路を変更する障害物が設けられ、前記防護板を閉じた時に前記役物及び構造物の一部分が前記防護板に形成された凹部に嵌入されていることを特徴とする請求項１に記載のパチンコ機。
【請求項３】
前記段部には遊技球が入球する入賞口が設けられていることを特徴とする請求項２に記載のパチンコ機。
【発明の詳細な説明】
【０００１】
【発明の属する技術分野】
本発明は、パチンコ機に関し、特に遊技に必要な役物及び構造物に対する高さの制限を緩和し、遊技の幅を広げたパチンコ機に関する。
【０００２】
【従来の技術】
従来のパチンコ機では、遊技盤と該遊技盤の前面に設けられた防護板（ガラス板）との隙間Ｈ（約１３ｍｍ〜２５ｍｍ）の間に遊技釘、風車、普通図柄表示装置作動ゲート、普通図柄表示装置、特別図柄表示装置、各種入賞口、表示灯などを設けていた。以下、普通図柄表示装置、特別図柄表示装置、各種入賞口などを「遊技に必要な役物及び構造物」と称して用いる。
【０００３】
前記従来のパチンコ機は、図３乃至図５に示すような構造である。即ち、図３に示すように、前枠２には遊技盤３、防護枠４、上皿５、下皿６、ハンドル部７等が装着されている。遊技盤３には、図示していない風車、大入賞口、アウト口等のほかに特別図柄表示装置１２などが設けられている。該遊技盤３は、前枠２に嵌入固定され、前枠２は図示していない外枠に回動自在に固定されている。そして、遊技盤３を前枠２に嵌入固定して、防護枠４を閉めると、該防護枠４に固定されている平坦な防護板１１が、遊技盤３と平行になる。そして、この時、図４に示すように、特別図柄表示装置１２は、ガラス板に当らない高さに制限されている。更に又、図５に示すように、役物や前記特別図柄表示装置１２を構成する部材２０は後に張り出している。
【０００４】
【発明が解決しようとする課題】
近年、遊技の多様化によって、役物、特に遊技盤中央に配置される特別図柄表示装置などは大型化、カラー化されている。遊技の多様化により前記表示装置に表示される図柄も複雑になるが、前記スペースに設けることのできる表示装置には限界があり、表示されている内容が見にくい場合もある。特定条件が成立すると遊技者に有利な状態になり、アタッカーと呼ばれる開閉口を有するパチンコ機では、該開閉口が手前に開く時に遊技球が防護板（ガラス板）と開閉口との間に挟まり、いわゆる玉噛みが発生し、遊技に支障をきたす場合がある。これは、防護板（ガラス板）と開閉口との間が狭いことに起因するものである。
【０００５】
また、従来のパチンコ機は、遊技場に設置されるとき、図示していない外枠から後に、あまり飛び出さないことが要求される。その結果、役物、表示装置などによって遊技に更なる興趣を持たせようとしても、役物、表示装置の高さの制限から実現できない場合があった。
【０００６】
本発明は、かかる問題を解決して役物、表示装置の高さの制限を受けないパチンコ機を提供することを目的としてなされたものである。
【０００７】
【課題を解決するための手段】
本発明は上記目的を達成するために、請求項１記載のパチンコ機は、少なくとも遊技盤と、該遊技盤に設けられた役物及び構造物と前記遊技盤の前面防護板を有するパチンコ機において、前記防護板を閉じた時に前記防護板に前記役物及び構造物の一部分が嵌入される凹部が形成されていると共に、当該凹部に嵌入される前記役物及び構造物の周辺と前記凹部内部との間には、遊技球が通過する空間が形成されていることを特徴とする。
【０００８】
請求項２に記載のパチンコ機は、請求項１記載のパチンコ機において、前記役物及び構造物は、段部が形成されていて、該段部には遊技球の通路を変更する障害物が設けられ、前記防護板を閉じた時に前記役物及び構造物の一部分が前記防護板に形成された凹部に嵌入されていることを特徴とする。
【０００９】
請求項３に記載のパチンコ機は、請求項２記載のパチンコ機において、前記段部には遊技球が入球する入賞口が設けられていることを特徴とする。
【００１０】
【発明の実施の形態】
図１は、本発明におけるパチンコ機の分解斜視図である。図１においては、遊技釘、各種の装飾品は省略してある。本パチンコ機は、遊技盤３に特別図柄表示装置１２を有する役物４が設けられていて、該役物４は、図２に示すように、遊技球が通過可能な段部４ａ、４ｂ、４ｃ、４ｄが階段状に形成されている。そして、該役物４は、前記遊技盤３と該遊技盤３の前面に設けられた防護板１１との隙間Ｈ（約１３ｍｍ〜２５ｍｍ）よりも高さがある。また、遊技盤３の前面には、遊技盤３を通過する遊技球を遊技者に見やすくすると共に遊技盤３から遊技者への遊技球の飛弾を防止するために、透明な強化ガラス、強化プラスチック等の防護板１１が装着されている。又、前枠２には遊技盤３、上皿５、下皿６、ハンドル部７等が装着されている。なお、前枠２は図示していない外枠に回動軸を中心に回動可能に装着されていて、従来から周知の方法で固定されていてもよい。
【００１１】
遊技球が遊技盤３から飛び出さないように遊技盤３に設けられた透明の防護板１１には、該防護板１１を遊技盤３の上に閉じた時に、前記防護板１１に前記役物４の一部分が嵌入される位置に凹部２１が形成されている。この防護板１１は、加工の容易な強化プラスチックなどにより形成されている。なお、以下の説明では、前記防護板１１に嵌入される遊技に必要な役物及び構造物として前記役物４のみが設けられているものとして説明するが、これ以外であってもよく、その場合には、後述するように前記防護板１１に複数の凹部を設け、遊技盤３に設けられた前記遊技に必要な役物及び構造物の位置にそれぞれ嵌入するように対応して設けられている。
【００１２】
図１において、前記防護板１１に設けられた凹部２１は、遊技盤３に設けられた役物４の位置に対応して設けられている。即ち、防護板１１を遊技盤３に固定したときに、遊技盤３に設けられた相対応する役物４の一部分は、前記凹部２１に嵌入するように設けられている。そして、前記凹部２１の深さは、遊技盤３に設けられた役物４の高さより僅かに深く、防護板１１を遊技盤３に固定した時に役物４の周辺と凹部２１内部との間には、遊技球が通過するだけの隙間がある。従って、役物４の高さが遊技盤３と該遊技盤３の前面に設けられた防護板１１との隙間Ｈよりも高くても、防護板１１を遊技盤３の上に固定したときに防護板１１が邪魔にならない。更に前記凹部２１内部と役物４との間を遊技球が通過して、遊技に多様性を持たせられる。
【００１３】
図２（ａ）は、前記役物４の実施形態における斜視外観図、図２（ｂ）は、前記役物４を防護板１１と遊技盤３との間に装着した場合の図２（ａ）におけるＡＢ断面図である。前記役物４は、上部に特別図柄表示装置１２が設けられていて、その下方には段部４ａ、４ｂ、４ｃ、４ｄが階段状に形成されていて、該各段部には遊技球Ｐの通路を変更する障害物４１が適宜、設けられている。該障害物４１は、遊技球Ｐの通路を変更するものであれば、例えば遊技釘１３が立設されていてもよく、あるいは、他の障害物であってもよい。最下方の段部４ｄには遊技球Ｐが入賞する入賞口４０が設けられている。特別図柄表示装置１２は、表示される図柄が遊技者によって認識し易いように、防護板１１に近接した位置、即ち防護板１１と遊技盤３との間の距離Ｈが従来の距離になっている位置に設けられている。あるいは、防護板１１に近接した位置として、最下方の段部４ｄの先端に設けるようにしてもよい。特別図柄表示装置１２の後方には、前記特別図柄表示装置１２を構成する部材４３が設けられている。該部材４３は、遊技盤３を貫通してパチンコ機の裏側で周知の制御装置に連結されている。役物４が凹部２１内に嵌入されている結果、部材４３が遊技盤３を貫通していても遊技盤３の後方が短くなっている。その結果、遊技場に設置されるとき、図示していない外枠から後に、あまり飛び出さないので遊技場の管理者が出入りするスペースを大きくできる。
【００１４】
図２（ｂ）に示すように、前記役物４を防護板１１と遊技盤３との間に装着して、前記防護板１１を閉じた時に、その一部、例えば段部４ｂ、４ｃ、４ｄが前記凹部２１に嵌入される。また、防護板１１と遊技盤３との間には遊技釘１３が立設されていて、防護板１１の裏面と遊技盤３の遊技領域面との間の距離が前記隙間Ｈと等しいか、僅かに大きく、遊技球Ｐが遊技領域中を通過可能である。又、前記凹部２１に嵌入された役物４と防護板１１の裏面との隙間は、遊技球Ｐが通過可能な隙間が形成されている。
【００１５】
前記役物４は以下のように作用する。入賞口４０に入賞した遊技球Ｐは、通路４２を流下して、図示していない遊技球検出スイッチにより遊技球の通過が検出され、所定の遊技がなされる。また、入賞口４０に入賞しない遊技球Ｐは、役物４の外に出て遊技領域内を再度流下する。前記遊技球Ｐの流路は、障害物４１により変更され、段部４ａ、４ｂ、４ｃ、４ｄを流路Ｒ方向に流下する以外に、途中の段部４ａ、４ｂ、４ｃ、４ｄの何れからも横に流下することができる。また前記段部は、これ以外の数であってもよく、かかる場合には防護板１１の凹部２１も対応した形状に形成されている。更に、入賞口４０も前記以外の場所、数であってもよい。かかる場合にも入賞口に入賞した遊技球Ｐは、通路を流下して、図示していない遊技球検出スイッチにより遊技球の通過が検出され、所定の遊技がなされる。なお、前記役物４は、本願発明の主旨を逸脱しない範囲で図２に示した形状以外であってもよい。ただし、かかる場合、防護板１１の凹部２１も対応した形状に形成されている。
【００１６】
【発明の効果】
請求項１記載のパチンコ機によれば、少なくとも遊技盤と、該遊技盤に設けられた役物及び構造物と前記遊技盤の前面防護板を有するパチンコ機において、前記防護板を閉じた時に前記防護板に前記役物及び構造物の一部分が嵌入される凹部が形成されていると共に、当該凹部に嵌入される前記役物及び構造物の周辺と前記凹部内部との間には、遊技球が通過する空間が形成されていて、該凹部と防護板との間に遊技球が流下できることにより、遊技に必要な役物及び構造物の高さの制限を緩和できるとともに、該役物及び構造物の上部を利用して遊技球の流路を変化したり、新たな入賞口を設けることができ、パチンコ機の設計の自由度が増し、各種の役物及び構造物を使用できると共に、遊技の興趣を高めることができる。
【００１７】
請求項２記載のパチンコ機によれば、前記役物及び構造物は、段部が形成されていて、該段部には遊技球の通路を変更する障害物が設けられ、前記防護板を閉じた時に前記役物及び構造物の一部分が前記防護板に形成された凹部に嵌入されることにより、遊技球の方向に変化をもたせられる。
【００１８】
請求項３記載のパチンコ機によれば、前記段部には遊技球が入球する入賞口が設けられていることにより、前記防護板に形成された凹部にも新たな入賞口を設けることができ、更に遊技を楽しくできる。
【図面の簡単な説明】
【図１】本発明におけるパチンコ機の分解斜視図である。
【図２】本発明における実施形態の図であって、図２（ａ）は、役物の実施形態における斜視外観図、図２（ｂ）は、前記役物を防護板と遊技盤との間に装着した場合の図２（ａ）におけるＡＢ断面図である。
【図３】従来のパチンコ機の分解斜視図である。
【図４】従来のパチンコ機の防護板を装着した場合の第１の実施形態を示す図である。
【図５】従来のパチンコ機の防護板を装着した場合の第２の実施形態を示す図である。
【符号の説明】
２　前枠
３　遊技盤
５　上皿
６　下皿
７　ハンドル部
１１　防護板
１２　特別図柄表示装置
１３　遊技釘
２１　凹部
Ｐ　遊技球
４３　部材
【図１】
2004041420.tif 000003
【図２】
2004041420.tif 000004
【図３】
2004041420.tif 000005
【図４】
2004041420.tif 000006
【図５】
2004041420.tif 000007